(57)【要約】      （修正有）【課題】衝突を受けたり倒れたりしても安全なカンテラを提供する。【解決手段】安全カンテラにおいて、カンテラ本体１０を含み、カンテラ本体の頂部の端面の中には凹チャンバ１１が設けられ、凹チャンバの中には充電ランプヘッド装置１０２が設置される。凹チャンバの下方の照明チャンバ４０の中の、回転儀安定灯１００は、装置の起動時に駆動モータがこま盤を素早く回転連動させ、半環状内枠と半環状外枠４７の二つのスタンドによって回転儀を形成する。装置が衝突したり倒れたりするときに、回転儀は自分で安定して灯具を保護することができ、自己安定の役割を果たすことができ、内外に設置された外透明板３２や内透明板３０によってさらに安全性を強化し、光色調整装置１０３の第一回転軸、第二回転軸および第三回転軸は回転によって制御される。【選択図】図１
2020149959.tif 000002
【特許請求の範囲】
【請求項１】
安全カンテラは、カンテラ本体を含み、前記カンテラ本体の頂部の端面の中には凹チャンバが設けられ、前記凹チャンバの中には充電ランプヘッド装置が設置され、前記充電ランプヘッド装置は外殻を含み、前記外殻の左側はラックが設けられ、前記外殻の右側には充電充電ランプヘッドが設置され、前記外殻の内側には集光レンズと反射板が設置され、前記外殻の頂部にはソーラーパネルとハンドルが取り付けられ、前記凹チャンバの左側には円形チャンバが連通して設けられ、前記円形チャンバの中には軸体と第一歯車が回転できように設けられ、前記第一歯車と前記ラックが噛み合い、前記円形チャンバの左側には回転チャンバが連通して設けられ、前記回転チャンバの下方には延長チャンバが連通して設けられ、前記延長チャンバの下方には開口チャンバが連通して設けられ、前記開口チャンバの下方には底制御チャンバが連通して設けられ、前記回転チャンバと、前記延長チャンバと、前記開口チャンバと前記底制御チャンバとの中には遮光装置が設けられ、前記凹チャンバの下方には照明チャンバが設けられ、前記照明チャンバの中には回転儀安定灯が設置され、前記照明チャンバの内壁には一つの反光層が固定的に取り付けられ、前記照明チャンバの左下の方には収容チャンバが連通して設置され、前記収容チャンバの中には光色調整装置が設置されることを特徴とする安全カンテラ。
【請求項２】
前記光色調整装置は前記照明チャンバと連通して設けられる収容チャンバを含み、前記収容チャンバの下方には伝達チャンバが設けられ、前記収容チャンバと前記伝達チャンバとの間には第一回転軸が回転できように取り付けられ、前記第一回転軸の中には第二回転軸が回転できように取り付けられ、前記第二回転軸の中には第三回転軸が回転できように取り付けられ、前記第三回転軸の左側には第一基盤が固定的に取り付けられ、前記第一基盤の左側には赤いガラス皿が固定的に取り付けられ、前記第二回転軸の左側には第二基盤が固定的に取り付けられ、前記第二基盤の左側には黄色ガラス皿が固定的に取り付けられ、前記第一回転軸の左側には第三基盤が固定的に取り付けられ、前記第三基盤の左側にはブルーガラス皿が固定的に取り付けられ、前記第三回転軸の底端面には第一傘歯車が固定的に取り付けられ、前記伝達チャンバの左側壁の中には第一回転ロッドが回転できように取り付けられ、前記第一回転ロッドの右側には第一傘歯車と噛み合う第二傘歯車が固定的に取り付けられ、前記第一回転ロッドの左側には第一旋回頭が固定的に取り付けられ、前記第二回転軸の底部端面には第三傘歯車が固定的に取り付けられ、前記伝達チャンバの左側壁の中には第二回転ロッドが回転できように取り付けられ、前記第二回転ロッドの右側には前記第三傘歯車と噛み合う第四傘歯車が固定的に取り付けられ、前記第二回転ロッドの左側には第二旋回頭が固定的に取り付けられ、前記第一回転軸の底端面には第五傘歯車が固定的に取り付けられ、前記伝達チャンバの左側壁の中には第三回転ロッドが回転できように取り付けられ、前記第三回転ロッドの右側には前記第五傘歯車と噛み合う第六傘歯車が固定的に取り付けられ、前記第三回転ロッドの左側には第三旋回頭が固定的に取り付けられ、これにより手動で第一旋回頭を回転させて赤いガラス皿を照明チャンバの中に回転させ、同じように黄色ガラス皿又はブルーガラス皿を照明チャンバの中に回転させることができ、赤いガラス皿又は黄色ガラス皿又はブルーガラス皿は光の色を変え、赤いガラス皿と黄色ガラス皿とブルーガラス皿とが重なったときに他の色を調整することができ、照明の色が豊富であり機能が強いことを特徴とする請求項１に記載の安全カンテラ。
【請求項３】
前記回転儀安定灯には、前記照明チャンバの右側壁に固定的に取り付けられる固定台を含み、前記固定台の左側内壁の中には回転棒状体が回転できように取り付けられ、前記照明チャンバの中には半円形の半環状外枠が設けられ、前記半環状外枠と前記回転棒状体が回転できように接続され、前記半環状外枠の内側の壁には接続軸が前后対称的に取り付けられ、前記接続軸には半円形の半環状内枠回転できように取り付けられ、前記半環状内枠の下方には中心軸が固定的に取り付けられ、前記照明チャンバの中には取り付けブロックが設置され、前記取り付けブロックの上端面には取り付けチャンバが設けられ、前記取り付けチャンバの底壁には駆動モータが固定的に取り付けられ、前記駆動モータには前記中心軸が取り付けられ、前記取り付けブロックの外側には一つの円盤形のこま盤が固定的に取り付けられ、前記取付けブロックの底端面にはコンロッドが取り付けられ、前記コンロッドの底部には殻体が取り付けられ、前記殻体の底部端面にはＬＥＤランプヘッドが固定的に取り付けられ、前記照明チャンバの左側と前記開口チャンバが連通し、前記開口チャンバの左側の壁には外透明板が取り付けられ、前記開口チャンバの右側の壁には内透明板が取り付けられ、それにより駆動モータが起動してこま盤を回転させ、カンテラ本体が反転したり転落したりするとき、ＬＥＤランプヘッドは、自動バランスの働きをすることができ、ＬＥＤランプヘッドが破壊しにくい、外透明板と内透明板の二層の保護により、ＬＥＤランプををより良く保護したことを特徴とする請求項１に記載の安全カンテラ。
【請求項４】
前記遮光装置は、前記開口チャンバの下方に設けられ、且つ前記開口チャンバと連通する底制御腔を含み、前記開口チャンバの上には延長チャンバが連通して設けられ、前記延長チャンバの上には前記カンテラ本体の左側の端面を貫通する回転チャンバが連通して設けられ、前記回転チャンバの前後の内壁の間には回転ロッドが回転できように取り付けられ、前記回転ロッドの外側の端面の後方には回転輪が固定的に取り付けられ、前記回転輪の外側には制御盤が固定的に取り付けられ、前記制御盤の右側には回しレバーが固定的に取り付けられ、前記底制御チャンバの前後の内壁の間には遮光底制御軸が回転できように取り付けられ、前記遮光底制御軸の外側端面には第二鎖歯車が固定的に取り付けられ、前記開口チャンバの前後の内壁の間には一セットの遮板軸が回転できように取り付けられ、前記遮板軸の外側端面には第一鎖歯車が固定的に取り付けられ、前記第一鎖歯車の右側には遮光板が固定的に取り付けられ、前記回転輪にはチェーンが巻き付けられ、前記チェーンは前記第一鎖歯車及び前記第二鎖歯車と噛み合い、それにより前記回しレバーを回して制御盤を回転させ、制御盤の回転は、遮光板を回転連動させ、照明の明暗を自動的に調節できることを特徴とする請求項１に記載の安全カンテラ。
【発明の詳細な説明】
【技術分野】
【０００１】
発明は日常照明分野を取り上げて、具体的には安全カンテラである。
【背景技術】
【０００２】
カンテラは携帯できるランプであり、伝統的なカンテラは通常液体燃料を使って照明し、煙が出やすいだけでなく、カンテラは弱いガラスのほやを採用しているため、打ち砕かれると燃油が漏洩して火事を起こす可能性が高い。
【先行技術文献】
【特許文献】
【０００３】
【特許文献１】中国特許出願公開第１０２００７３３８号明細書
【発明の概要】
【発明が解決しようとする課題】
【０００４】
本発明の目的は安全カンテラを提供し、それは上記の現在の技術中の問題を解決できる。
【課題を解決するための手段】
【０００５】
本発明の実施例の  安全カンテラは、カンテラ本体を含み、前記カンテラ本体の頂部の端面の中には凹チャンバが設けられ、前記凹チャンバの中には充電ランプヘッド装置が設置され、前記充電ランプヘッド装置は外殻を含み、前記外殻の左側はラックが設けられ、前記外殻の右側には充電充電ランプヘッドが設置され、前記外殻の内側には集光レンズと反射板が設置され、前記外殻の頂部にはソーラーパネルとハンドルが取り付けられ、前記凹チャンバの左側には円形チャンバが連通して設けられ、前記円形チャンバの中には軸体と第一歯車が回転できように設けられ、前記第一歯車と前記ラックが噛み合い、前記円形チャンバの左側には回転チャンバが連通して設けられ、前記回転チャンバの下方には延長チャンバが連通して設けられ、前記延長チャンバの下方には開口チャンバが連通して設けられ、前記開口チャンバの下方には底制御チャンバが連通して設けられ、前記回転チャンバと、前記延長チャンバと、前記開口チャンバと前記底制御チャンバとの中には遮光装置が設けられ、前記凹チャンバの下方には照明チャンバが設けられ、前記照明チャンバの中には回転儀安定灯が設置され、前記照明チャンバの内壁には一つの反光層が固定的に取り付けられ、前記照明チャンバの左下の方には収容チャンバが連通して設置され、前記収容チャンバの中には光色調整装置が設置される。
【０００６】
更の技術プラン、前記光色調整装置は前記照明チャンバと連通して設けられる収容チャンバを含み、前記収容チャンバの下方には伝達チャンバが設けられ、前記収容チャンバと前記伝達チャンバとの間には第一回転軸が回転できように取り付けられ、前記第一回転軸の中には第二回転軸が回転できように取り付けられ、前記第二回転軸の中には第三回転軸が回転できように取り付けられ、前記第三回転軸の左側には第一基盤が固定的に取り付けられ、前記第一基盤の左側には赤いガラス皿が固定的に取り付けられ、前記第二回転軸の左側には第二基盤が固定的に取り付けられ、前記第二基盤の左側には黄色ガラス皿が固定的に取り付けられ、前記第一回転軸の左側には第三基盤が固定的に取り付けられ、前記第三基盤の左側にはブルーガラス皿が固定的に取り付けられ、前記第三回転軸の底端面には第一傘歯車が固定的に取り付けられ、前記伝達チャンバの左側壁の中には第一回転ロッドが回転できように取り付けられ、前記第一回転ロッドの右側には第一傘歯車と噛み合う第二傘歯車が固定的に取り付けられ、前記第一回転ロッドの左側には第一旋回頭が固定的に取り付けられ、前記第二回転軸の底部端面には第三傘歯車が固定的に取り付けられ、前記伝達チャンバの左側壁の中には第二回転ロッドが回転できように取り付けられ、前記第二回転ロッドの右側には前記第三傘歯車と噛み合う第四傘歯車が固定的に取り付けられ、前記第二回転ロッドの左側には第二旋回頭が固定的に取り付けられ、前記第一回転軸の底端面には第五傘歯車が固定的に取り付けられ、前記伝達チャンバの左側壁の中には第三回転ロッドが回転できように取り付けられ、前記第三回転ロッドの右側には前記第五傘歯車と噛み合う第六傘歯車が固定的に取り付けられ、前記第三回転ロッドの左側には第三旋回頭が固定的に取り付けられる。
【０００７】
有益なまた例を示すように、、前記回転儀安定灯には、前記照明チャンバの右側壁に固定的に取り付けられる固定台を含み、前記固定台の左側内壁の中には回転棒状体が回転できように取り付けられ、前記照明チャンバの中には半円形の半環状外枠が設けられ、前記半環状外枠と前記回転棒状体が回転できように接続され、前記半環状外枠の内側の壁には接続軸が前后対称的に取り付けられ、前記接続軸には半円形の半環状内枠回転できように取り付けられ、前記半環状内枠の下方には中心軸が固定的に取り付けられ、前記照明チャンバの中には取り付けブロックが設置され、前記取り付けブロックの上端面には取り付けチャンバが設けられ、前記取り付けチャンバの底壁には駆動モータが固定的に取り付けられ、前記駆動モータには前記中心軸が取り付けられ、前記取り付けブロックの外側には一つの円盤形のこま盤が固定的に取り付けられ、前記取付けブロックの底端面にはコンロッドが取り付けられ、前記コンロッドの底部には殻体が取り付けられ、前記殻体の底部端面にはＬＥＤランプヘッドが固定的に取り付けられ、前記照明チャンバの左側と前記開口チャンバが連通し、前記開口チャンバの左側の壁には外透明板が取り付けられ、前記開口チャンバの右側の壁には内透明板が取り付けられる。
【０００８】
有益なまた例を示すように、、前記遮光装置は、前記開口チャンバの下方に設けられ、且つ前記開口チャンバと連通する底制御腔を含み、前記開口チャンバの上には延長チャンバが連通して設けられ、前記延長チャンバの上には前記カンテラ本体の左側の端面を貫通する回転チャンバが連通して設けられ、前記回転チャンバの前後の内壁の間には回転ロッドが回転できように取り付けられ、前記回転ロッドの外側の端面の後方には回転輪が固定的に取り付けられ、前記回転輪の外側には制御盤が固定的に取り付けられ、前記制御盤の右側には回しレバーが固定的に取り付けられ、前記底制御チャンバの前後の内壁の間には遮光底制御軸が回転できように取り付けられ、前記遮光底制御軸の外側端面には第二鎖歯車が固定的に取り付けられ、前記開口チャンバの前後の内壁の間には一セットの遮板軸が回転できように取り付けられ、前記遮板軸の外側端面には第一鎖歯車が固定的に取り付けられ、前記第一鎖歯車の右側には遮光板が固定的に取り付けられ、前記回転輪にはチェーンが巻き付けられ、前記チェーンは前記第一鎖歯車及び前記第二鎖歯車と噛み合う。
【発明の効果】
【０００９】
本発明の有益的な効果は：本発明は、衝突を受けたり倒れたりするときに、自己安定の役割を果たすことができ、内外に設置された外透明板や内透明板によってさらに安全性を強化し、赤いガラス皿、黄色ガラス皿、ブルーガラス皿を回転し制御することによって、三原色混合原理を利用して、色の異なった照明を調え、頂部のソーラーパネルはエネルギーを提供し、上部の充電ランプヘッド装置を通じ、光を集束し、充電ランプヘッドから射し出してハイビームになり、夜間の視野を保証して旅行の安全を守る。
【図面の簡単な説明】
【００１０】
【図１】図１は本発明の構成略図である；
【図２】図２は本発明の回転儀安定灯の側面構成略図である；
【図３】図３は図１のＢの拡大構成略図である；
【発明を実施するための形態】
【００１１】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１２】
図１〜３を参照し、本発明の実施例の安全カンテラは、カンテラ本体１０を含み、前記カンテラ本体１０の頂部の端面の中には凹チャンバ１１が設けられ、前記凹チャンバ１１の中には充電ランプヘッド装置１０２が設置され、前記充電ランプヘッド装置１０２は外殻１２を含み、前記外殻１２の左側はラック１７が設けられ、前記外殻１２の右側には充電充電ランプヘッド８６が設置され、前記外殻１２の内側には集光レンズ２１と反射板８５が設置され、前記外殻１２の頂部にはソーラーパネル１３とハンドル１５が取り付けられ、前記凹チャンバ１１の左側には円形チャンバ２０が連通して設けられ、前記円形チャンバ２０の中には軸体１９と第一歯車１８が回転できように設けられ、前記第一歯車１８と前記ラック１７が噛み合い、前記円形チャンバ２０の左側には回転チャンバ２２が連通して設けられ、前記回転チャンバ２２の下方には延長チャンバ２６が連通して設けられ、前記延長チャンバ２６の下方には開口チャンバ３１が連通して設けられ、前記開口チャンバ３１の下方には底制御チャンバ３４が連通して設けられ、前記回転チャンバ２２と、前記延長チャンバ２６と、前記開口チャンバ３１と前記底制御チャンバ３４との中には遮光装置１０１が設けられ、前記凹チャンバ１１の下方には照明チャンバ４０が設けられ、前記照明チャンバ４０の中には回転儀安定灯１００が設置され、前記照明チャンバ４０の内壁には一つの反光層４１が固定的に取り付けられ、前記照明チャンバ４０の左下の方には収容チャンバ５５が連通して設置され、前記収容チャンバ５５の中には光色調整装置１０３が設置される。
【００１３】
前記光色調整装置１０３は前記照明チャンバ４０と連通して設けられる収容チャンバ５５を含み、前記収容チャンバ５５の下方には伝達チャンバ６８が設けられ、前記収容チャンバ５５と前記伝達チャンバ６８との間には第一回転軸５６が回転できように取り付けられ、前記第一回転軸５６の中には第二回転軸５７が回転できように取り付けられ、前記第二回転軸５７の中には第三回転軸５８が回転できように取り付けられ、前記第三回転軸５８の左側には第一基盤５９が固定的に取り付けられ、前記第一基盤５９の左側には赤いガラス皿６２が固定的に取り付けられ、前記第二回転軸５７の左側には第二基盤６０が固定的に取り付けられ、前記第二基盤６０の左側には黄色ガラス皿６３が固定的に取り付けられ、前記第一回転軸５６の左側には第三基盤６１が固定的に取り付けられ、前記第三基盤６１の左側にはブルーガラス皿６４が固定的に取り付けられ、前記第三回転軸５８の底端面には第一傘歯車６７が固定的に取り付けられ、前記伝達チャンバ６８の左側壁の中には第一回転ロッド７６が回転できように取り付けられ、前記第一回転ロッド７６の右側には第一傘歯車６７と噛み合う第二傘歯車６９が固定的に取り付けられ、前記第一回転ロッド７６の左側には第一旋回頭７７が固定的に取り付けられ、前記第二回転軸５７の底部端面には第三傘歯車６６が固定的に取り付けられ、前記伝達チャンバ６８の左側壁の中には第二回転ロッド７４が回転できように取り付けられ、前記第二回転ロッド７４の右側には前記第三傘歯車６６と噛み合う第四傘歯車７０が固定的に取り付けられ、前記第二回転ロッド７４の左側には第二旋回頭７５が固定的に取り付けられ、前記第一回転軸５６の底端面には第五傘歯車６５が固定的に取り付けられ、前記伝達チャンバ６８の左側壁の中には第三回転ロッド７２が回転できように取り付けられ、前記第三回転ロッド７２の右側には前記第五傘歯車６５と噛み合う第六傘歯車７１が固定的に取り付けられ、前記第三回転ロッド７２の左側には第三旋回頭７３が固定的に取り付けられ、これにより手動で第一旋回頭７７を回転させて赤いガラス皿６２を照明チャンバ４０の中に回転させ、同じように黄色ガラス皿６３又はブルーガラス皿６４を照明チャンバ４０の中に回転させることができ、赤いガラス皿６２又は黄色ガラス皿６３又はブルーガラス皿６４は光の色を変え、赤いガラス皿６２と黄色ガラス皿６３とブルーガラス皿６４とが重なったときに他の色を調整することができ、照明の色が豊富であり機能が強い。
【００１４】
前記回転儀安定灯１００には、前記照明チャンバ４０の右側壁に固定的に取り付けられる固定台３９を含み、前記固定台３９の左側内壁の中には回転棒状体４２が回転できように取り付けられ、前記照明チャンバ４０の中には半円形の半環状外枠４７が設けられ、前記半環状外枠４７と前記回転棒状体４２が回転できように接続され、前記半環状外枠４７の内側の壁には接続軸７８が前后対称的に取り付けられ、前記接続軸７８には半円形の半環状内枠４５回転できように取り付けられ、前記半環状内枠４５の下方には中心軸４６が固定的に取り付けられ、前記照明チャンバ４０の中には取り付けブロック４９が設置され、前記取り付けブロック４９の上端面には取り付けチャンバ４８が設けられ、前記取り付けチャンバ４８の底壁には駆動モータ５０が固定的に取り付けられ、前記駆動モータ５０には前記中心軸４６が取り付けられ、前記取り付けブロック４９の外側には一つの円盤形のこま盤５１が固定的に取り付けられ、前記取付けブロック４９の底端面にはコンロッド５２が取り付けられ、前記コンロッド５２の底部には殻体５３が取り付けられ、前記殻体５３の底部端面にはＬＥＤランプヘッド５４が固定的に取り付けられ、前記照明チャンバ４０の左側と前記開口チャンバ３１が連通し、前記開口チャンバ３１の左側の壁には外透明板３２が取り付けられ、前記開口チャンバ３１の右側の壁には内透明板３０が取り付けられ、それにより駆動モータ５０が起動してこま盤５１を回転させ、カンテラ本体１０が反転したり転落したりするとき、ＬＥＤランプヘッド５４は、自動バランスの働きをすることができ、ＬＥＤランプヘッド５４が破壊しにくい、外透明板３２と内透明板３０の二層の保護により、ＬＥＤランプ５４ををより良く保護した。
【００１５】
前記遮光装置１０１は、前記開口チャンバ３１の下方に設けられ、且つ前記開口チャンバ３１と連通する底制御腔３４を含み、前記開口チャンバ３１の上には延長チャンバ２６が連通して設けられ、前記延長チャンバ２６の上には前記カンテラ本体１０の左側の端面を貫通する回転チャンバ２２が連通して設けられ、前記回転チャンバ２２の前後の内壁の間には回転ロッド２４が回転できように取り付けられ、前記回転ロッド２４の外側の端面の後方には回転輪２５が固定的に取り付けられ、前記回転輪２５の外側には制御盤８０が固定的に取り付けられ、前記制御盤８０の右側には回しレバー２３が固定的に取り付けられ、前記底制御チャンバ３４の前後の内壁の間には遮光底制御軸３５が回転できように取り付けられ、前記遮光底制御軸３５の外側端面には第二鎖歯車３６が固定的に取り付けられ、前記開口チャンバ３１の前後の内壁の間には一セットの遮板軸２７が回転できように取り付けられ、前記遮板軸２７の外側端面には第一鎖歯車２８が固定的に取り付けられ、前記第一鎖歯車２８の右側には遮光板２９が固定的に取り付けられ、前記回転輪２５にはチェーン３３が巻き付けられ、前記チェーン３３は前記第一鎖歯車２８及び前記第二鎖歯車３６と噛み合い、それにより前記回しレバー２３を回して制御盤８０を回転させ、制御盤８０の回転は、遮光板２９を回転連動させ、照明の明暗を自動的に調節できる。
【００１６】
使用時には、ソーラーパネル１３が太陽光を集めて充電し、ＬＥＤランプヘッド５４を起動することで照明を提供し、光色調整装置１０３の中の第三回転ロッド７２と、第二回転ロッド７４と第一回転ロッド７６を回転することにより、赤いガラス皿６２又は黄色ガラス皿６３又はブルーガラス皿６４を制御して照明チャンバ４０に出入りし、第一回転軸５６と、第二回転軸５７と第三回転軸５８の回転によって、赤いガラス皿６２と、黄色ガラス皿６３とブルーガラス皿６４のいずれか又は任意の組み合わせを  ＬＥＤランプヘッド５４の下に移動して単色光または複色光を形成でき、三原色混合原理によって、色の異なる照明が出き、回しレバー２３を回して制御盤８０を回転させ、制御盤８０はチェーン３３を連動させて第一鎖歯車２８を回転させ、これにより遮光板２９の開合角度が異なり、それにより光の明暗程度を制御し、回転儀安定灯１００の応用は、装置の起動時に駆動モータ５０がこま盤５１素早く回転連動させ、半環状内枠４５と半環状外枠４７の二つのスタンドによって回転儀を形成し、装置が衝突したり倒れたりするときに、回転儀は自分で安定して灯具を保護することができ、使用者が力を入れてハンドル１５を引き抜く時、ラック１７は第一歯車１８を回転連動させ、第一歯車１８は制御盤８０を引っかかって回転連動させ、遮光装置を強制的にオフし、透明な充電充電ランプヘッド８６充電を内部の光りが通し、集光レンズ２１の集束拡大と反射板８５の屈折によってハイビームになる。
【００１７】
本発明の有益な効果は：本発明は、衝突を受けたり倒れたりするときに、自己安定の役割を果たすことができ、内外に設置された外透明板や内透明板によってさらに安全性を強化し、赤いガラス皿、黄色ガラス皿、ブルーガラス皿を回転し制御することによって、三原色混合原理を利用して、色の異なった照明を調え、頂部のソーラーパネルはエネルギーを提供し、上部の充電ランプヘッド装置を通じ、光を集束し、充電ランプヘッドから射し出してハイビームになり、夜間の視野を保証して旅行の安全を守る。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020149959.tif 000003
【図２】
2020149959.tif 000004
【図３】
2020149959.tif 000005
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
安全カンテラは、カンテラ本体を含み、前記カンテラ本体の頂部の端面の中には凹チャンバが設けられ、前記凹チャンバの中には充電ランプヘッド装置が設置され、前記充電ランプヘッド装置は外殻を含み、前記外殻の左側はラックが設けられ、前記外殻の右側には充電充電ランプヘッドが設置され、前記外殻の内側には集光レンズと反射板が設置され、前記外殻の頂部にはソーラーパネルとハンドルが取り付けられ、前記凹チャンバの左側には円形チャンバが連通して設けられ、前記円形チャンバの中には軸体と第一歯車が回転できるように設けられ、前記第一歯車と前記ラックが噛み合い、前記円形チャンバの左側には回転チャンバが連通して設けられ、前記回転チャンバの下方には延長チャンバが連通して設けられ、前記延長チャンバの下方には開口チャンバが連通して設けられ、前記開口チャンバの下方には底制御チャンバが連通して設けられ、前記回転チャンバと、前記延長チャンバと、前記開口チャンバと前記底制御チャンバとの中には遮光装置が設けられ、前記凹チャンバの下方には照明チャンバが設けられ、前記照明チャンバの中には回転儀安定灯が設置され、前記照明チャンバの内壁には一つの反光層が固定的に取り付けられ、前記照明チャンバの左下の方には収容チャンバが連通して設置され、前記収容チャンバの中には光色調整装置が設置されることを特徴とする安全カンテラ。
【請求項２】
前記光色調整装置は前記照明チャンバと連通して設けられる収容チャンバを含み、前記収容チャンバの下方には伝達チャンバが設けられ、前記収容チャンバと前記伝達チャンバとの間には第一回転軸が回転できるように取り付けられ、前記第一回転軸の中には第二回転軸が回転できるように取り付けられ、前記第二回転軸の中には第三回転軸が回転できるように取り付けられ、前記第三回転軸の左側には第一基盤が固定的に取り付けられ、前記第一基盤の左側には赤いガラス皿が固定的に取り付けられ、前記第二回転軸の左側には第二基盤が固定的に取り付けられ、前記第二基盤の左側には黄色ガラス皿が固定的に取り付けられ、前記第一回転軸の左側には第三基盤が固定的に取り付けられ、前記第三基盤の左側にはブルーガラス皿が固定的に取り付けられ、前記第三回転軸の底端面には第一傘歯車が固定的に取り付けられ、前記伝達チャンバの左側壁の中には第一回転ロッドが回転できるように取り付けられ、前記第一回転ロッドの右側には第一傘歯車と噛み合う第二傘歯車が固定的に取り付けられ、前記第一回転ロッドの左側には第一旋回頭が固定的に取り付けられ、前記第二回転軸の底部端面には第三傘歯車が固定的に取り付けられ、前記伝達チャンバの左側壁の中には第二回転ロッドが回転できるように取り付けられ、前記第二回転ロッドの右側には前記第三傘歯車と噛み合う第四傘歯車が固定的に取り付けられ、前記第二回転ロッドの左側には第二旋回頭が固定的に取り付けられ、前記第一回転軸の底端面には第五傘歯車が固定的に取り付けられ、前記伝達チャンバの左側壁の中には第三回転ロッドが回転できるように取り付けられ、前記第三回転ロッドの右側には前記第五傘歯車と噛み合う第六傘歯車が固定的に取り付けられ、前記第三回転ロッドの左側には第三旋回頭が固定的に取り付けられ、これにより手動で第一旋回頭を回転させて赤いガラス皿を照明チャンバの中に回転させ、同じように黄色ガラス皿又はブルーガラス皿を照明チャンバの中に回転させることができ、赤いガラス皿又は黄色ガラス皿又はブルーガラス皿は光の色を変え、赤いガラス皿と黄色ガラス皿とブルーガラス皿とが重なったときに他の色を調整することができ、照明の色が豊富であり機能が強いことを特徴とする請求項１に記載の安全カンテラ。
【請求項３】
前記回転儀安定灯には、前記照明チャンバの右側壁に固定的に取り付けられる固定台を含み、前記固定台の左側内壁の中には回転棒状体が回転できるように取り付けられ、前記照明チャンバの中には半円形の半環状外枠が設けられ、前記半環状外枠と前記回転棒状体が回転できるように接続され、前記半環状外枠の内側の壁には接続軸が前後対称的に取り付けられ、前記接続軸には半円形の半環状内枠が回転できるように取り付けられ、前記半環状内枠の下方には中心軸が固定的に取り付けられ、前記照明チャンバの中には取り付けブロックが設置され、前記取り付けブロックの上端面には取り付けチャンバが設けられ、前記取り付けチャンバの底壁には駆動モータが固定的に取り付けられ、前記駆動モータには前記中心軸が取り付けられ、前記取り付けブロックの外側には一つの円盤形のこま盤が固定的に取り付けられ、前記取り付けブロックの底端面にはコンロッドが取り付けられ、前記コンロッドの底部には殻体が取り付けられ、前記殻体の底部端面にはＬＥＤランプヘッドが固定的に取り付けられ、前記照明チャンバの左側と前記開口チャンバが連通し、前記開口チャンバの左側の壁には外透明板が取り付けられ、前記開口チャンバの右側の壁には内透明板が取り付けられ、それにより駆動モータが起動してこま盤を回転させ、カンテラ本体が反転したり転落したりするとき、ＬＥＤランプヘッドは、自動バランスの働きをすることができ、ＬＥＤランプヘッドが破壊しにくい、外透明板と内透明板の二層の保護により、ＬＥＤランプをより良く保護したことを特徴とする請求項１に記載の安全カンテラ。
【請求項４】
前記遮光装置は、前記開口チャンバの下方に設けられ、且つ前記開口チャンバと連通する底制御チャンバを含み、前記開口チャンバの上には延長チャンバが連通して設けられ、前記延長チャンバの上には前記カンテラ本体の左側の端面を貫通する回転チャンバが連通して設けられ、前記回転チャンバの前後の内壁の間には回転ロッドが回転できるように取り付けられ、前記回転ロッドの外側の端面の後方には回転輪が固定的に取り付けられ、前記回転輪の外側には制御盤が固定的に取り付けられ、前記制御盤の右側には回しレバーが固定的に取り付けられ、前記底制御チャンバの前後の内壁の間には遮光底制御軸が回転できるように取り付けられ、前記遮光底制御軸の外側端面には第二鎖歯車が固定的に取り付けられ、前記開口チャンバの前後の内壁の間には一セットの遮板軸が回転できるように取り付けられ、前記遮板軸の外側端面には第一鎖歯車が固定的に取り付けられ、前記第一鎖歯車の右側には遮光板が固定的に取り付けられ、前記回転輪にはチェーンが巻き付けられ、前記チェーンは前記第一鎖歯車及び前記第二鎖歯車と噛み合い、それにより前記回しレバーを回して制御盤を回転させ、制御盤の回転は、遮光板を回転連動させ、照明の明暗を自動的に調節できることを特徴とする請求項１に記載の安全カンテラ。
【手続補正２】
【補正対象書類名】明細書
【補正対象項目名】全文
【補正方法】変更
【補正の内容】
【発明の詳細な説明】
【技術分野】
【０００１】
発明は日常照明分野を取り上げて、具体的には安全カンテラである。
【背景技術】
【０００２】
カンテラは携帯できるランプであり、伝統的なカンテラは通常液体燃料を使って照明し、煙が出やすいだけでなく、カンテラは弱いガラスのほやを採用しているため、打ち砕かれると燃油が漏洩して火事を起こす可能性が高い。
【先行技術文献】
【特許文献】
【０００３】
【特許文献１】中国特許出願公開第１０２００７３３８号明細書
【発明の概要】
【発明が解決しようとする課題】
【０００４】
本発明の目的は安全カンテラを提供し、それは上記の現在の技術中の問題を解決できる。
【課題を解決するための手段】
【０００５】
本発明の実施例の  安全カンテラは、カンテラ本体を含み、前記カンテラ本体の頂部の端面の中には凹チャンバが設けられ、前記凹チャンバの中には充電ランプヘッド装置が設置され、前記充電ランプヘッド装置は外殻を含み、前記外殻の左側はラックが設けられ、前記外殻の右側には充電充電ランプヘッドが設置され、前記外殻の内側には集光レンズと反射板が設置され、前記外殻の頂部にはソーラーパネルとハンドルが取り付けられ、前記凹チャンバの左側には円形チャンバが連通して設けられ、前記円形チャンバの中には軸体と第一歯車が回転できるように設けられ、前記第一歯車と前記ラックが噛み合い、前記円形チャンバの左側には回転チャンバが連通して設けられ、前記回転チャンバの下方には延長チャンバが連通して設けられ、前記延長チャンバの下方には開口チャンバが連通して設けられ、前記開口チャンバの下方には底制御チャンバが連通して設けられ、前記回転チャンバと、前記延長チャンバと、前記開口チャンバと前記底制御チャンバとの中には遮光装置が設けられ、前記凹チャンバの下方には照明チャンバが設けられ、前記照明チャンバの中には回転儀安定灯が設置され、前記照明チャンバの内壁には一つの反光層が固定的に取り付けられ、前記照明チャンバの左下の方には収容チャンバが連通して設置され、前記収容チャンバの中には光色調整装置が設置される。
【０００６】
更の技術プラン、前記光色調整装置は前記照明チャンバと連通して設けられる収容チャンバを含み、前記収容チャンバの下方には伝達チャンバが設けられ、前記収容チャンバと前記伝達チャンバとの間には第一回転軸が回転できるように取り付けられ、前記第一回転軸の中には第二回転軸が回転できるように取り付けられ、前記第二回転軸の中には第三回転軸が回転できるように取り付けられ、前記第三回転軸の左側には第一基盤が固定的に取り付けられ、前記第一基盤の左側には赤いガラス皿が固定的に取り付けられ、前記第二回転軸の左側には第二基盤が固定的に取り付けられ、前記第二基盤の左側には黄色ガラス皿が固定的に取り付けられ、前記第一回転軸の左側には第三基盤が固定的に取り付けられ、前記第三基盤の左側にはブルーガラス皿が固定的に取り付けられ、前記第三回転軸の底端面には第一傘歯車が固定的に取り付けられ、前記伝達チャンバの左側壁の中には第一回転ロッドが回転できるように取り付けられ、前記第一回転ロッドの右側には第一傘歯車と噛み合う第二傘歯車が固定的に取り付けられ、前記第一回転ロッドの左側には第一旋回頭が固定的に取り付けられ、前記第二回転軸の底部端面には第三傘歯車が固定的に取り付けられ、前記伝達チャンバの左側壁の中には第二回転ロッドが回転できるように取り付けられ、前記第二回転ロッドの右側には前記第三傘歯車と噛み合う第四傘歯車が固定的に取り付けられ、前記第二回転ロッドの左側には第二旋回頭が固定的に取り付けられ、前記第一回転軸の底端面には第五傘歯車が固定的に取り付けられ、前記伝達チャンバの左側壁の中には第三回転ロッドが回転できるように取り付けられ、前記第三回転ロッドの右側には前記第五傘歯車と噛み合う第六傘歯車が固定的に取り付けられ、前記第三回転ロッドの左側には第三旋回頭が固定的に取り付けられる。
【０００７】
有益なまた例を示すように、、前記回転儀安定灯には、前記照明チャンバの右側壁に固定的に取り付けられる固定台を含み、前記固定台の左側内壁の中には回転棒状体が回転できるように取り付けられ、前記照明チャンバの中には半円形の半環状外枠が設けられ、前記半環状外枠と前記回転棒状体が回転できるように接続され、前記半環状外枠の内側の壁には接続軸が前後対称的に取り付けられ、前記接続軸には半円形の半環状内枠が回転できるように取り付けられ、前記半環状内枠の下方には中心軸が固定的に取り付けられ、前記照明チャンバの中には取り付けブロックが設置され、前記取り付けブロックの上端面には取り付けチャンバが設けられ、前記取り付けチャンバの底壁には駆動モータが固定的に取り付けられ、前記駆動モータには前記中心軸が取り付けられ、前記取り付けブロックの外側には一つの円盤形のこま盤が固定的に取り付けられ、前記取り付けブロックの底端面にはコンロッドが取り付けられ、前記コンロッドの底部には殻体が取り付けられ、前記殻体の底部端面にはＬＥＤランプヘッドが固定的に取り付けられ、前記照明チャンバの左側と前記開口チャンバが連通し、前記開口チャンバの左側の壁には外透明板が取り付けられ、前記開口チャンバの右側の壁には内透明板が取り付けられる。
【０００８】
有益なまた例を示すように、、前記遮光装置は、前記開口チャンバの下方に設けられ、且つ前記開口チャンバと連通する底制御チャンバを含み、前記開口チャンバの上には延長チャンバが連通して設けられ、前記延長チャンバの上には前記カンテラ本体の左側の端面を貫通する回転チャンバが連通して設けられ、前記回転チャンバの前後の内壁の間には回転ロッドが回転できるように取り付けられ、前記回転ロッドの外側の端面の後方には回転輪が固定的に取り付けられ、前記回転輪の外側には制御盤が固定的に取り付けられ、前記制御盤の右側には回しレバーが固定的に取り付けられ、前記底制御チャンバの前後の内壁の間には遮光底制御軸が回転できるように取り付けられ、前記遮光底制御軸の外側端面には第二鎖歯車が固定的に取り付けられ、前記開口チャンバの前後の内壁の間には一セットの遮板軸が回転できるように取り付けられ、前記遮板軸の外側端面には第一鎖歯車が固定的に取り付けられ、前記第一鎖歯車の右側には遮光板が固定的に取り付けられ、前記回転輪にはチェーンが巻き付けられ、前記チェーンは前記第一鎖歯車及び前記第二鎖歯車と噛み合う。
【発明の効果】
【０００９】
本発明の有益的な効果は：本発明は、衝突を受けたり倒れたりするときに、自己安定の役割を果たすことができ、内外に設置された外透明板や内透明板によってさらに安全性を強化し、赤いガラス皿、黄色ガラス皿、ブルーガラス皿を回転し制御することによって、三原色混合原理を利用して、色の異なった照明を調え、頂部のソーラーパネルはエネルギーを提供し、上部の充電ランプヘッド装置を通じ、光を集束し、充電ランプヘッドから射し出してハイビームになり、夜間の視野を保証して旅行の安全を守る。
【図面の簡単な説明】
【００１０】
【図１】図１は本発明の構成略図である；
【図２】図２は本発明の回転儀安定灯の側面構成略図である；
【図３】図３は図１のＢの拡大構成略図である；
【発明を実施するための形態】
【００１１】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１２】
図１〜３を参照し、本発明の実施例の安全カンテラは、カンテラ本体１０を含み、前記カンテラ本体１０の頂部の端面の中には凹チャンバ１１が設けられ、前記凹チャンバ１１の中には充電ランプヘッド装置１０２が設置され、前記充電ランプヘッド装置１０２は外殻１２を含み、前記外殻１２の左側はラック１７が設けられ、前記外殻１２の右側には充電充電ランプヘッド８６が設置され、前記外殻１２の内側には集光レンズ２１と反射板８５が設置され、前記外殻１２の頂部にはソーラーパネル１３とハンドル１５が取り付けられ、前記凹チャンバ１１の左側には円形チャンバ２０が連通して設けられ、前記円形チャンバ２０の中には軸体１９と第一歯車１８が回転できるように設けられ、前記第一歯車１８と前記ラック１７が噛み合い、前記円形チャンバ２０の左側には回転チャンバ２２が連通して設けられ、前記回転チャンバ２２の下方には延長チャンバ２６が連通して設けられ、前記延長チャンバ２６の下方には開口チャンバ３１が連通して設けられ、前記開口チャンバ３１の下方には底制御チャンバ３４が連通して設けられ、前記回転チャンバ２２と、前記延長チャンバ２６と、前記開口チャンバ３１と前記底制御チャンバ３４との中には遮光装置１０１が設けられ、前記凹チャンバ１１の下方には照明チャンバ４０が設けられ、前記照明チャンバ４０の中には回転儀安定灯１００が設置され、前記照明チャンバ４０の内壁には一つの反光層４１が固定的に取り付けられ、前記照明チャンバ４０の左下の方には収容チャンバ５５が連通して設置され、前記収容チャンバ５５の中には光色調整装置１０３が設置される。
【００１３】
前記光色調整装置１０３は前記照明チャンバ４０と連通して設けられる収容チャンバ５５を含み、前記収容チャンバ５５の下方には伝達チャンバ６８が設けられ、前記収容チャンバ５５と前記伝達チャンバ６８との間には第一回転軸５６が回転できるように取り付けられ、前記第一回転軸５６の中には第二回転軸５７が回転できるように取り付けられ、前記第二回転軸５７の中には第三回転軸５８が回転できるように取り付けられ、前記第三回転軸５８の左側には第一基盤５９が固定的に取り付けられ、前記第一基盤５９の左側には赤いガラス皿６２が固定的に取り付けられ、前記第二回転軸５７の左側には第二基盤６０が固定的に取り付けられ、前記第二基盤６０の左側には黄色ガラス皿６３が固定的に取り付けられ、前記第一回転軸５６の左側には第三基盤６１が固定的に取り付けられ、前記第三基盤６１の左側にはブルーガラス皿６４が固定的に取り付けられ、前記第三回転軸５８の底端面には第一傘歯車６７が固定的に取り付けられ、前記伝達チャンバ６８の左側壁の中には第一回転ロッド７６が回転できるように取り付けられ、前記第一回転ロッド７６の右側には第一傘歯車６７と噛み合う第二傘歯車６９が固定的に取り付けられ、前記第一回転ロッド７６の左側には第一旋回頭７７が固定的に取り付けられ、前記第二回転軸５７の底部端面には第三傘歯車６６が固定的に取り付けられ、前記伝達チャンバ６８の左側壁の中には第二回転ロッド７４が回転できるように取り付けられ、前記第二回転ロッド７４の右側には前記第三傘歯車６６と噛み合う第四傘歯車７０が固定的に取り付けられ、前記第二回転ロッド７４の左側には第二旋回頭７５が固定的に取り付けられ、前記第一回転軸５６の底端面には第五傘歯車６５が固定的に取り付けられ、前記伝達チャンバ６８の左側壁の中には第三回転ロッド７２が回転できるように取り付けられ、前記第三回転ロッド７２の右側には前記第五傘歯車６５と噛み合う第六傘歯車７１が固定的に取り付けられ、前記第三回転ロッド７２の左側には第三旋回頭７３が固定的に取り付けられ、これにより手動で第一旋回頭７７を回転させて赤いガラス皿６２を照明チャンバ４０の中に回転させ、同じように黄色ガラス皿６３又はブルーガラス皿６４を照明チャンバ４０の中に回転させることができ、赤いガラス皿６２又は黄色ガラス皿６３又はブルーガラス皿６４は光の色を変え、赤いガラス皿６２と黄色ガラス皿６３とブルーガラス皿６４とが重なったときに他の色を調整することができ、照明の色が豊富であり機能が強い。
【００１４】
前記回転儀安定灯１００には、前記照明チャンバ４０の右側壁に固定的に取り付けられる固定台３９を含み、前記固定台３９の左側内壁の中には回転棒状体４２が回転できるように取り付けられ、前記照明チャンバ４０の中には半円形の半環状外枠４７が設けられ、前記半環状外枠４７と前記回転棒状体４２が回転できるように接続され、前記半環状外枠４７の内側の壁には接続軸７８が前後対称的に取り付けられ、前記接続軸７８には半円形の半環状内枠４５が回転できるように取り付けられ、前記半環状内枠４５の下方には中心軸４６が固定的に取り付けられ、前記照明チャンバ４０の中には取り付けブロック４９が設置され、前記取り付けブロック４９の上端面には取り付けチャンバ４８が設けられ、前記取り付けチャンバ４８の底壁には駆動モータ５０が固定的に取り付けられ、前記駆動モータ５０には前記中心軸４６が取り付けられ、前記取り付けブロック４９の外側には一つの円盤形のこま盤５１が固定的に取り付けられ、前記取り付けブロック４９の底端面にはコンロッド５２が取り付けられ、前記コンロッド５２の底部には殻体５３が取り付けられ、前記殻体５３の底部端面にはＬＥＤランプヘッド５４が固定的に取り付けられ、前記照明チャンバ４０の左側と前記開口チャンバ３１が連通し、前記開口チャンバ３１の左側の壁には外透明板３２が取り付けられ、前記開口チャンバ３１の右側の壁には内透明板３０が取り付けられ、それにより駆動モータ５０が起動してこま盤５１を回転させ、カンテラ本体１０が反転したり転落したりするとき、ＬＥＤランプヘッド５４は、自動バランスの働きをすることができ、ＬＥＤランプヘッド５４が破壊しにくい、外透明板３２と内透明板３０の二層の保護により、ＬＥＤランプ５４をより良く保護した。
【００１５】
前記遮光装置１０１は、前記開口チャンバ３１の下方に設けられ、且つ前記開口チャンバ３１と連通する底制御チャンバ３４を含み、前記開口チャンバ３１の上には延長チャンバ２６が連通して設けられ、前記延長チャンバ２６の上には前記カンテラ本体１０の左側の端面を貫通する回転チャンバ２２が連通して設けられ、前記回転チャンバ２２の前後の内壁の間には回転ロッド２４が回転できるように取り付けられ、前記回転ロッド２４の外側の端面の後方には回転輪２５が固定的に取り付けられ、前記回転輪２５の外側には制御盤８０が固定的に取り付けられ、前記制御盤８０の右側には回しレバー２３が固定的に取り付けられ、前記底制御チャンバ３４の前後の内壁の間には遮光底制御軸３５が回転できるように取り付けられ、前記遮光底制御軸３５の外側端面には第二鎖歯車３６が固定的に取り付けられ、前記開口チャンバ３１の前後の内壁の間には一セットの遮板軸２７が回転できるように取り付けられ、前記遮板軸２７の外側端面には第一鎖歯車２８が固定的に取り付けられ、前記第一鎖歯車２８の右側には遮光板２９が固定的に取り付けられ、前記回転輪２５にはチェーン３３が巻き付けられ、前記チェーン３３は前記第一鎖歯車２８及び前記第二鎖歯車３６と噛み合い、それにより前記回しレバー２３を回して制御盤８０を回転させ、制御盤８０の回転は、遮光板２９を回転連動させ、照明の明暗を自動的に調節できる。
【００１６】
使用時には、ソーラーパネル１３が太陽光を集めて充電し、ＬＥＤランプヘッド５４を起動することで照明を提供し、光色調整装置１０３の中の第三回転ロッド７２と、第二回転ロッド７４と第一回転ロッド７６を回転することにより、赤いガラス皿６２又は黄色ガラス皿６３又はブルーガラス皿６４を制御して照明チャンバ４０に出入りし、第一回転軸５６と、第二回転軸５７と第三回転軸５８の回転によって、赤いガラス皿６２と、黄色ガラス皿６３とブルーガラス皿６４のいずれか又は任意の組み合わせを  ＬＥＤランプヘッド５４の下に移動して単色光または複色光を形成でき、三原色混合原理によって、色の異なる照明が出き、回しレバー２３を回して制御盤８０を回転させ、制御盤８０はチェーン３３を連動させて第一鎖歯車２８を回転させ、これにより遮光板２９の開合角度が異なり、それにより光の明暗程度を制御し、回転儀安定灯１００の応用は、装置の起動時に駆動モータ５０がこま盤５１素早く回転連動させ、半環状内枠４５と半環状外枠４７の二つのスタンドによって回転儀を形成し、装置が衝突したり倒れたりするときに、回転儀は自分で安定して灯具を保護することができ、使用者が力を入れてハンドル１５を引き抜く時、ラック１７は第一歯車１８を回転連動させ、第一歯車１８は制御盤８０を引っかかって回転連動させ、遮光装置を強制的にオフし、透明な充電充電ランプヘッド８６充電を内部の光りが通し、集光レンズ２１の集束拡大と反射板８５の屈折によってハイビームになる。
【００１７】
本発明の有益な効果は：本発明は、衝突を受けたり倒れたりするときに、自己安定の役割を果たすことができ、内外に設置された外透明板や内透明板によってさらに安全性を強化し、赤いガラス皿、黄色ガラス皿、ブルーガラス皿を回転し制御することによって、三原色混合原理を利用して、色の異なった照明を調え、頂部のソーラーパネルはエネルギーを提供し、上部の充電ランプヘッド装置を通じ、光を集束し、充電ランプヘッドから射し出してハイビームになり、夜間の視野を保証して旅行の安全を守る。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。